(57)【要約】      （修正有）【課題】自発分極を有し、印加される正極及び負極の駆動電圧に基づいて可動する両極性を備えた液晶分子を備えた液晶素子を用いる際に、駆動電圧の効率化を図ることができるとともに、液晶素子の保持電圧を高く維持させて光の透過率を向上させること、及び、高輝度化及び高コントラスト化を実現させた表示パネルの駆動方法等を提供する。【解決手段】液晶表示装置の駆動方法は、フレーム毎に、保持期間の終了後に、全てのピクセルのＴＦＴを同時にオンにして、液晶分子を無印加時の安定状態にリセットするためのリセット電圧を各液晶素子に印加するリセット電圧印加処理を実行し、入力された画像データを表示する。【選択図】図１９
2014066934.tif 000002
【特許請求の範囲】
【請求項１】
自発分極を有し、印加される正極及び負極の駆動電圧に基づいて可動する両極性を備えた液晶分子が封入された液晶層を有する液晶素子と、
前記液晶素子に前記駆動電圧を印加する際のオンとオフを制御するスイッチング素子と、
を備えた複数の画素を有する表示パネルの駆動方法であって、
（Ａ）入力された画像データに基づいて、フレーム毎に、駆動電圧の極性及び電圧レベルに応じて光源から照射された光の透過光強度を変化させて前記表示パネルに画像を表示させるとともに、
（Ｂ）前記フレーム毎に、
各スイッチング素子を制御して各画素における前記液晶素子に印加する駆動電圧を所定のタイミングで書き込む書き込み処理を実行し、
全ての画素における書き込み処理が終了した後に、前記光源を点灯させつつ、各液晶素子に前記書き込まれた駆動電圧を所定期間保持させ、
前記所定期間の終了後に、前記光源を消灯するのと同時に、全ての画素のスイッチング素子を同時にオンにして、前記液晶分子を無印加時の安定状態にリセットするためのリセット電圧を各液晶素子に印加するリセット電圧印加処理を実行することを特徴とする表示パネルの駆動方法。
【請求項２】
前記フレーム毎に、極性を反転させつつ、前記駆動電圧を各液晶素子に印加するフレーム反転駆動によって前記書き込み処理を実行する、請求項１に記載の表示パネルの駆動方法。
【請求項３】
前記リセット電圧が各画素にて共通の共通電極と同電位である、請求項１又は２に記載の表示パネルの駆動方法。
【請求項４】
前記液晶分子が、強誘電性の性質を有する、請求項１〜４のいずれか１項に記載の表示パネルの駆動方法。
【請求項５】
光源の前面に設けられた複数のピクセルを有する表示パネルに画像を表示させる表示装置であって、
各ピクセルが、
自発分極を有し、印加される正極及び負極の駆動電圧に基づいて可動する両極性を備えた液晶分子が封入された液晶層を有する液晶素子と、
前記液晶素子に前記駆動電圧を印加する際のオンとオフを制御するスイッチング素子と、
によって構成されるとともに、
入力された画素データに基づいて各液晶分子に当該液晶分子を駆動させる駆動電圧を印加する駆動回路を更に備え、
前記駆動回路が、
（Ａ）供給された画像データに基づいて、フレーム毎に、駆動電圧の極性及び電圧レベルに応じて光源から照射された光の透過光強度を変化させて前記表示パネルに画像を表示させるとともに、
（Ｂ）前記フレーム毎に、
各スイッチング素子を制御して各画素における前記液晶素子に印加する駆動電圧を所定のタイミングで書き込む書き込み処理を実行し、
全ての画素における書き込み処理が終了した後に、前記光源を点灯させつつ、各液晶素子に前記書き込まれた駆動電圧を所定期間保持させ、
前記所定期間の終了後に、前記光源を消灯するのと同時に、全ての画素のスイッチング素子を同時にオンにして、前記液晶分子を無印加時の安定状態にリセットするためのリセット電圧を各液晶素子に印加するリセット電圧印加処理を実行することを特徴とする表示装置。
【発明の詳細な説明】
【技術分野】
【０００１】
本発明は、表示装置及び表示パネルの駆動方法に関する。
【背景技術】
【０００２】
従来、軽量・薄型表示素子として液晶表示素子が広く使用されている。特に、最近では、ＴＮ（Ｔｗｉｓｔｅｄ  Ｎｅｍａｔｉｃ）方式、ＳＴＮ（Ｓｕｐｅｒ  Ｔｗｉｓｔｅｄ  Ｎｅｍａｔｉｃ）のマルチプレックス駆動、又はＴＮに薄層トランジスタ（ＴＦＴ）を用いたアクティブマトリクス駆動等のネマチック液晶を用いた液晶表示装置に比べて、応答速度が極めて短く、高速デバイスに適した強誘電性液晶（ＦＬＣ）の研究が進んでいる。
【０００３】
このような強誘電性の液晶素子を用いた液晶表示装置としては、的確に「黒」を表示するために、１フレームの消去処理時に、全てのピクセル電極（ピクセル）に対して所定回数の同時選択による駆動電圧の印加を実行するものが知られている（例えば、特許文献１）。
【先行技術文献】
【特許文献】
【０００４】
【特許文献１】特開２００３−５１５３号公報
【発明の概要】
【発明が解決しようとする課題】
【０００５】
しかしながら、上記特許文献であっては、印加される正極及び負極の駆動電圧に基づいて可動する両極性を備えた液晶分子を用いた液晶表示装置及びその駆動回路に関する駆動電圧の印加については言及されていない。
【０００６】
また、上記特許文献であっては、黒表示を的確に実行するために、リセットパルスを用いているだけであり、上述の言及が無い以上、次のフレームにおいて逆極性の駆動電圧が印加される際に、液晶分子における無印加時の安定状態を経由させてからその駆動を制御してはいない。
【０００７】
本発明は、上記課題を解決するためになされたものであって、その目的は、自発分極に基づく、印加される正極及び負極の駆動電圧に基づいて可動する両極性を備えた液晶分子を備えた液晶素子を用いる際に、駆動電圧の効率化を図ることができるとともに、液晶素子の保持電圧を高く維持させて光の透過率を向上させること、及び、高輝度化及び高コントラスト化を実現させた表示パネルの駆動方法等を提供することにある。
【課題を解決するための手段】
【０００８】
（１）上記課題を解決するため、本発明に係る表示パネルの駆動方法は、自発分極を有し、印加される正極及び負極の駆動電圧に基づいて可動する両極性を備えた液晶分子が封入された液晶層を有する液晶素子と、前記液晶素子に前記駆動電圧を印加する際のオンとオフを制御するスイッチング素子と、を備えた複数の画素を有する表示パネルの駆動方法であって、（Ａ）入力された画像データに基づいて、フレーム毎に、駆動電圧の極性及び電圧レベルに応じて光源から照射された光の透過光強度を変化させて前記表示パネルに画像を表示させるとともに、（Ｂ）前記フレーム毎に、各スイッチング素子を制御して各画素における前記液晶素子に印加する駆動電圧を所定のタイミングで書き込む書き込み処理を実行し、全ての画素における書き込み処理が終了した後に、前記光源を点灯させつつ、各液晶素子に前記書き込まれた駆動電圧を所定期間保持させ、前記所定期間の終了後に、前記光源を消灯するのと同時に、全ての画素のスイッチング素子を同時にオンにして、前記液晶分子を無印加時の安定状態にリセットするためのリセット電圧を各液晶素子に印加するリセット電圧印加処理を実行することを特徴とする。
【０００９】
通常、自発分極を備えた液晶分子を、次フレームにおいて前フレームの逆極性の駆動電圧によって駆動させる場合には、偏光軸に対する液晶分子の傾斜角度を、無印加時の安定状態のときの傾斜角度を通過させつつ、駆動電圧に応じて逆の方向に回転させる必要がある。このような場合においては、この液晶分子の動きに伴って液晶素子が有する保持電圧の一部をキャンセルさせることになるので、液晶分子の傾きに応じて必要な透過光強度を得るためには、液晶分子に、無印加時の安定状態から直接的に駆動電圧を印加してその傾斜角度を設定する場合に比べて、大きな駆動電圧が必要となる。
【００１０】
本発明によれば、フレーム毎に、光源を点灯させつつ、各液晶素子に書き込まれた駆動電圧を所定期間保持させた後に、全てのピクセルのスイッチング素子を同時にオンにし、液晶分子を無印加時の安定状態にリセットするためのリセット電圧を各液晶素子に印加するリセット電圧印加処理を実行するので、液晶分子に、次のフレームにおいて逆極性の駆動電圧が印加される場合には、無印加時の安定状態を経由させて当該液晶分子の向き（具体的には、光の透過軸（偏光軸）に対する傾斜角度）を制御することができる。
【００１１】
したがって、本発明に係る表示パネルの駆動方法は、液晶分子を駆動する際の駆動電圧の電圧レベルを上記に示すような通常の駆動方法に比べて低く抑えること、及び、駆動電圧の効率化を図ることができる。本発明に係る表示パネルの駆動方法は、例えば、供給できる電源電圧の制限によって液晶層に十分な電圧を印加することができない場合であっても、高い電圧を印加することができるので、輝度を高くすることができるとともに、当該液晶層に十分高い電圧を供給できる場合には、印加する電圧を低く抑えることができる。
【００１２】
この結果、本発明に係る表示パネルの駆動方法は、液晶素子の保持電圧を高く維持させて透過光強度を向上させることができるので、高輝度化及び高コントラスト化を実現させた表示パネルを提供することができる。
【００１３】
（２）また、本発明に係る表示パネルの駆動方法は、前記フレーム毎に、極性を反転させつつ、前記駆動電圧を各液晶素子に印加するフレーム反転駆動によって前記書き込み処理を実行する。
【００１４】
本発明によれば、フレーム毎に、極性を反転させつつ、駆動電圧を各液晶素子に印加するフレーム反転駆動によって前記書き込み処理を実行するので、駆動電圧によって液晶分子を制御する場合には、必ず、無印加時の安定状態から逆極性の電圧レベルに応じた当該液晶分子の向きを設定することができる。
【００１５】
したがって、本発明に係る表示パネルの駆動方法は、液晶分子を駆動する際の駆動電圧の電圧レベルを低く抑えること、及び、駆動電圧の効率化を図ることができるとともに、液晶素子の保持電圧を高く維持させて透過光強度を向上させることができるので、高輝度化及び高コントラスト化を実現させた表示パネルを提供することができる。
【００１６】
（３）また、本発明に係る表示パネルの駆動方法は、前記リセット電圧が各画素にて共通の共通電極と同電位である。
【００１７】
本発明によれば、前記リセット電圧が各画素にて共通の共通電極と同電位であるので、フレームが切り替わる毎に、必ず、無印加時の安定状態を経由させて当該液晶分子の向き（具体的には、光の透過軸（偏光軸）に対する傾斜角度）を制御することができる。
【００１８】
したがって、本発明に係る表示パネルの駆動方法は、液晶分子を駆動する際の駆動電圧の電圧レベルを低く抑えることができること、及び、駆動電圧の効率化を図ることができるとともに、液晶素子の保持電圧を高く維持させて透過光強度を向上させることができるので、高輝度化及び高コントラスト化を実現させた表示パネルを提供することができる。
【００１９】
（４）また、本発明に係る表示パネルの駆動方法は、前記液晶分子が、強誘電性の性質を有する。
【００２０】
本発明によれば、強誘電性の性質を有する液晶分子においても、フレームが切り替わる毎に、必ず、無印加時の安定状態を経由させて当該液晶分子の向き（具体的には、光の透過軸（偏光軸）に対する傾斜角度）を制御することができる。
【００２１】
（５）上記課題を解決するため、本発明に係る表示装置は、光源の前面に設けられた複数のピクセルを有する表示パネルに画像を表示させる表示装置であって、各ピクセルが、    自発分極を有し、印加される正極及び負極の駆動電圧に基づいて可動する両極性を備えた液晶分子が封入された液晶層を有する液晶素子と、前記液晶素子に前記駆動電圧を印加する際のオンとオフを制御するスイッチング素子と、によって構成されるとともに、入力された画素データに基づいて各液晶分子に当該液晶分子を駆動させる駆動電圧を印加する駆動回路を更に備え、前記駆動回路が、（Ａ）供給された画像データに基づいて、フレーム毎に、駆動電圧の極性及び電圧レベルに応じて光源から照射された光の透過光強度を変化させて前記表示パネルに画像を表示させるとともに、（Ｂ）前記フレーム毎に、各スイッチング素子を制御して各画素における前記液晶素子に印加する駆動電圧を所定のタイミングで書き込む書き込み処理を実行し、全ての画素における書き込み処理が終了した後に、前記光源を点灯させつつ、各液晶素子に前記書き込まれた駆動電圧を所定期間保持させ、前記所定期間の終了後に、前記光源を消灯するのと同時に、全ての画素のスイッチング素子を同時にオンにして、前記液晶分子を無印加時の安定状態にリセットするためのリセット電圧を各液晶素子に印加するリセット電圧印加処理を実行することを特徴とする
【００２２】
本発明によれば、フレーム毎に、光源を点灯させつつ、各液晶素子に書き込まれた駆動電圧を所定期間保持させた後に、全てのピクセルのスイッチング素子を同時にオンにし、液晶分子を無印加時の安定状態にリセットするためのリセット電圧を各液晶素子に印加するリセット電圧印加処理を実行するので、液晶分子に、次のフレームにおいて逆極性の駆動電圧が印加される場合には、無印加時の安定状態を経由させて当該液晶分子の向き（具体的には、光の透過軸（偏光軸）に対する傾斜角度）を制御することができる。
【００２３】
したがって、本発明に係る表示装置は、液晶分子を駆動する際の駆動電圧の電圧レベルを上記に示すような通常の駆動方法に比べて低く抑えること、及び、駆動電圧の効率化を図ることができる。本発明に係る表示パネルの駆動方法は、例えば、供給できる電源電圧の制限によって液晶層に十分な電圧を印加することができない場合であっても、高い電圧を印加することができるので、輝度を高くすることができるとともに、当該液晶層に十分高い電圧を供給できる場合には、印加する電圧を低く抑えることができる。
【００２４】
この結果、本発明に係る表示装置は、液晶素子の保持電圧を高く維持させて透過光強度を向上させることができるので、高輝度化及び高コントラスト化を実現させた表示パネルを提供することができる。
【発明の効果】
【００２５】
本発明に係る表示パネルの駆動方法及び表示装置は、高輝度化及び高コントラスト化を実現すること、及び、それを実現させた表示パネルを提供することができる。
【図面の簡単な説明】
【００２６】
【図１】本発明に係る表示装置の一実施形態における回路構成を示すブロック図である。
【図２】一実施形態における表示パネルと走査線駆動回路及びデータ線駆動回路との構成を示すブロック図である。
【図３】一実施形態の各ピクセルの内部構成を示す回路図である。
【図４】一実施形態の各液晶素子の構造を模した構造図である。
【図５】強誘電性液晶の液晶分子の挙動を示す模式図である。
【図６】一実施形態の液晶分子の挙動と第１偏光板、第２偏光板及び一対の配向膜との関係を示す図である。
【図７】一実施形態の強誘電性液晶の液晶分子における正負の駆動電圧において非対称となるＶ字型スイッチング特性を示すグラフである。
【図８】正負の駆動電圧において非対称となるＶ字型スイッチング特性を有し、かつ、自発分極に基づく液晶分子ＬＣにおいて、チルト角と自発分極の関係について説明するための図である。
【図９】一実施形態における液晶分子ＬＣの実駆動電圧及び透過光強度と自発分極との関係を示す一例（表）である。
【図１０】図９における液晶分子ＬＣの実駆動電圧及び透過光強度と自発分極との関係を示すグラフである。
【図１１】図９における液晶分子ＬＣの実駆動電圧及び透過光強度と自発分極との関係を示すタイミングチャートである。
【図１２】一実施形態における液晶素子の駆動電圧条件の一例を示す表（正極の場合）である。
【図１３】図１２における液晶素子の駆動電圧条件を示すグラフである。
【図１４】一実施形態における液晶素子の駆動電圧条件の一例を示す表（負極の場合）である。
【図１５】図１４における液晶素子の駆動電圧条件を示すグラフである。
【図１６】図１２及び図１４における透過光強度「０％」の値を抽出した正極と負極の表である。
【図１７】図１６における透過光強度「０％」の値を抽出した正極と負極のグラフである。
【図１８】図１１の動作をさせたときの液晶分子ＬＣを直接的に逆極性によって駆動した場合と本実施形態の駆動方法を比較したグラフである。
【図１９】一実施形態における液晶表示装置の各部の２フレーム分のタイミングを示すタイミングチャートである。
【発明を実施するための形態】
【００２７】
以下、本発明の実施形態について、図面を参照しながら説明する。なお、以下の実施形態は、強誘電性液晶材料を用いた液晶分子を有するピクセルによって構成されるアクティブマトリクス駆動型の液晶表示装置及びその駆動方法に対して、本発明に係る表示パネルの駆動方法及び表示装置を適用した場合の実施形態である。ただし、本発明は、その技術的思想を含む範囲内で以下の実施形態に限定されない。
【００２８】
［１］表示装置
まず、図１及び図２を用いて本実施形態の液晶表示装置１００について説明する。なお、図１は、本実施形態における表示装置の回路構成を示すブロック図であり、図２は、本実施形態における表示パネル１１０と走査線駆動回路１３０及びデータ線駆動回路１２０の構成を示すブロック図である。
【００２９】
本実施形態の液晶表示装置１００は、図１及び図２に示すように、液晶素子３０から構成される複数のピクセル１０を有し、所定の画像を表示する表示パネル１１０と、複数のデータ線Ｘを介して各ピクセル１０を制御するデータ線駆動回路１２０と、複数の走査線Ｙを介して各ピクセル１０を制御する走査線駆動回路１３０と、表示パネル１１０のバックライトとして機能する照明装置１４０と、表示パネル１１０に表示する画像データを一時的に記憶するメモリ回路１５０と、各部を制御する制御回路１７０と、を備えている。
【００３０】
表示パネル１１０は、図２に示すように、列方向に沿って延伸するｍ列のデータ線Ｘ１〜Ｘｍ（ｍは整数）と、行方向に沿って延伸するｎ行の走査線Ｙ１〜Ｙｎ（ｎは整数）との交差部に対応する位置に、ｎ行ｍ列に配列された複数の（ｎ×ｍ個の）ピクセル１０を有している。
【００３１】
各ピクセル１０は、強誘電性液晶材料から構成された液晶分子ＬＣが封入された液晶層３５を有する液晶素子３０を備えている。また、各ピクセル１０は、各ピクセル１０に供給された該当する走査線Ｙ及びデータ線Ｘからの信号に基づいて、当該液晶素子３０を制御するための構造を有している。なお、本実施形態の各ピクセル１０の構成は後述する。
【００３２】
データ線駆動回路１２０は、制御回路１７０の制御の下、図２に示すように、複数のデータ線Ｘ１〜Ｘｍを有し、この各データ線Ｘ１〜Ｘｍを介し各ピクセル１０にピクセルデータをそれぞれ供給する。特に、データ線Ｘ１〜Ｘｍは、各ピクセル１０のＴＦＴ２０のソース電極に接続される。なお、データ線Ｘによって供給される信号は、階調表示を行うための多値のデータに相当する信号であって、例えば、複数通りの電圧値の信号を各ピクセル１０に供給するためのデータ線制御信号（以下、「ピクセルデータ」ともいう。）である。
【００３３】
走査線駆動回路１３０は、制御回路１７０の制御の下、図２に示すように、ｎ行の複数の走査線Ｙ１〜Ｙｎを有し、所定のタイミングでｎ行の走査線Ｙ１〜Ｙｎを順に一つずつ選択する垂直走査を行うように構成されている。特に、走査線Ｙ１〜Ｙｎは、各ピクセル１０のＴＦＴ２０のゲート電極に接続される。また、走査線駆動回路１３０は、ｎ×ｍ個のピクセル１０のうち選択された一つの走査線Ｙに接続された各ピクセル１０（一行分のピクセル）のＴＦＴ２０をオン状態に設定する。
【００３４】
照明装置１４０は、表示パネル１１０を背面から照射する照明ユニットであり、例えば、フィールドシーケンシャル方式の場合には、ＲＧＢのＬＥＤによって構成されている。特に、照明装置１４０は、制御回路１７０の制御の下、データ線駆動回路１２０及び走査線駆動回路１３０と連動し、ＲＧＢの各色の光をそれぞれ所定のタイミングにて順次点灯させ、点灯させた各色の光を背面から表示パネル１１０に照射する構成を有している。
なお、照明装置１４０は、カラーフィルタ方式の場合には、白色の複数のＬＥＤによって構成される。
【００３５】
メモリ回路１５０には、表示パネル１１０に表示するための画像データが外部から供給された画像データが記憶される。特に、メモリ回路１５０は、一以上のフレームを記憶するフレームメモリ機能を有している。
【００３６】
特に、本実施形態においては、極性反転駆動を実行する一方で、外部から供給された画像データはシーケンシャルのデータの絶対値として入力されるために、フレーム毎に入力された画像データを所定のマトリクスデータに書き換える必要がある。本実施形態においては、この書き換えを行うためにメモリ回路１５０を有している。
【００３７】
なお、本実施形態において、フレームとは、単位時間当たり（１秒毎）に表示される一コマの画像（１枚の静止画）又はフレームレートを示す。
【００３８】
制御回路１７０は、表示パネル１１０など上述の各部を統括制御するようになっている。特に、制御回路１７０は、表示パネル１１０の表示状態を表すメモリ回路１５０に記憶した画像データを、各ピクセル１０における液晶素子３０の発光の階調を表すマトリクスデータに変換する。
【００３９】
マトリクスデータには、１行分のピクセル回路を選択するために走査信号を出力する走査線Ｙ１〜Ｙｎを指定するための走査線制御信号と、行毎に選択されるピクセル回路群の液晶素子３０の輝度を設定するためのデータ線制御信号（すなわち、ピクセルデータ）と、を含む。そして、走査線Ｙ制御信号は、走査線駆動回路１３０に供給され、また、データ線制御信号はデータ線駆動回路１２０に供給される。
【００４０】
具体的には、制御回路１７０は、例えば、フレーム毎（１／６０秒）に、すなわち、一枚の画像が次の画像に切り替わる毎に、全ピクセルを一度に同じ極性で反転させる方式（フレーム反転方式）、又は、フレーム毎に１つおきのピクセルを互い違いにプラスとマイナスの極性を反転させる方式（ドット反転駆動方式）によって各ピクセル１０を駆動するためのデータを生成する。
【００４１】
特に、制御回路１７０は、階調値が切り替わる直前のピクセルデータが必ず一定の極性（後述する、第１偏光軸５２から更に第２方向に液晶分子ＬＣを傾斜させるマイナスの極性）となるマトリクスデータを生成する。
【００４２】
また、制御回路１７０は、走査線Ｙ１〜Ｙｎの選択動作を、表示パネル１１０を照射する色の数だけ複数回繰り返して１フレームの画像が形成されるように、データ線駆動回路１２０及び走査線駆動回路１３０を制御するようになっている。
【００４３】
［２］ピクセル
［２．１］ピクセルの概要構成
次に、図３〜図７の各図を用いて本実施形態のピクセル１０の概要構成について説明する。なお、図３は、本実施形態の各ピクセル１０の内部構成を示す回路図であり、図４は、本実施形態の各液晶素子３０の構造を模した構造図である。また、図５は、強誘電性液晶の液晶分子ＬＣの挙動を示す模式図であり、図６は、本実施形態の液晶分子ＬＣの挙動と第１偏光板３２、第２偏光板４２及び一対の配向膜（３３、４３）との関係を示す図である。さらに、図７は、本実施形態の強誘電性液晶の液晶分子ＬＣにおける正負の駆動電圧において非対称となるＶ字型スイッチング特性を示すグラフである。
【００４４】
本実施形態の各ピクセル１０は、図３に示すように、上述した液晶素子３０と、所定の静電容量のコンデンサＣと、ピクセルデータを書き込むためのＴＦＴ２０と、を備える。
【００４５】
各液晶素子３０は、ＴＦＴ２０のドレイン電極と図示しない共通電極９０との間に形成されるとともに、自発分極を有する強誘電性液晶材料によって形成される。具体的には、各液晶素子３０は、外部電場を印加しなくても分極を示す「自発分極」を有し、外部電場を印加することによって分極を反転させることが可能な液晶素子である。すなわち、各液晶素子３０は、外部電場が無い状態でも（巨視的に見れば）分極（自発分極）が存在し、その分極の向きが電場印加によって反転可能な性質を持つ液晶素子である。
【００４６】
また、コンデンサＣは、ドレイン電極と共通電極９０と同電位に接続されている電極線との間に形成され、液晶素子と並列の関係にある。そして、各液晶素子３０は、コンデンサＣおよび液晶素子に保持された電圧に基づいて駆動する。
【００４７】
特に、各液晶素子３０は、図４に示すように、照明装置１４０側に配設された第１基材３１に形成された第１偏光軸５２を有する第１偏光板３２（すなわち、照明装置１４０から照射された光が直接入射される偏光子）と、ユーザによって視認される視認側に配設された第２基材４１に形成された第１偏光軸５２と非平行の第２偏光軸５３を有する第２偏光板４２（すなわち、検光子）と、第１偏光板３２と第２偏光板４２との間に挟持され、第１偏光軸５２及び第２偏光軸５３と非平行の基準軸５１の方向にラビング処理された一対の配向膜（３３、４３）と、配向膜（３３、４３）に挟持される液晶層３５であって、駆動電圧の無印加時に一の偏光軸と平行となるように傾いて安定化するとともに自発分極を有する液晶分子ＬＣを封入する液晶層３５と、を備える。
【００４８】
液晶層３５に封入された強誘電性液晶の液晶分子ＬＣは、図５に示すように、配向膜（３３、４３）と平行となる層法線ｚから傾いており、層法線ｚに垂直な底面を有する円錐（コーン）の稜線に沿って回転する特性を有している。なお、このような円錐（コーン）において、液晶分子ＬＣの層法線ｚに対する傾き角をチルト角（θ）という。
【００４９】
また、液晶分子ＬＣは、正負いずれの電圧を印加したときにも回転（可動）するＶ  ｓｈａｐｅｄ  ｓｗｉｔｃｈｉｎｇ（以下、「Ｖ字型スイッチング」という。）特性を有し、印加された駆動電圧の極性及びそのレベルに応じて、層法線ｚに対しチルト角±θだけ傾く二つの状態間にてコーン上を動作するようになっている。
【００５０】
特に、本実施形態の液晶分子ＬＣは、図６に示すように、駆動電圧の無印加時には、第１偏光板３２からの平面視方向（紙面上面から背面に向かう方向）において、配向膜（３３、４３）のラビング方向Ｒに延伸する基準軸５１から所定の角度の傾斜を有し、かつ、第１偏光板３２の第１偏光軸５２（以下、単に「偏光軸」ともいう。）と平行となる位置で安定状態となる特性を有している。なお、第１偏光板３２の第１偏光軸５２と第２偏光板４２の第２偏光軸５３は、直角に交わるように設定されている。
【００５１】
また、通常、液晶分子ＬＣの傾きは、第１偏光板３２からの平面視方向において、ラビング方向Ｒの基準軸５１に対して−４５度≦θ≦４５度の９０度の範囲で動作することが好ましい。本実施形態の液晶分子ＬＣは、駆動電圧の無印加時の安定状態がコーン（強誘電性の液晶分子が円錐の側面を沿うように移動する性質を有しており、この円錐をコーンという。）の中央に存在しているとは限らず、どちらかに傾いている場合があり、このような場合には正負の駆動電圧において、チルト角の傾きが非対称となる特性を有している。本実施形態の液晶分子ＬＣは、同一の電圧レベルの正負の駆動電圧が印加されてとしても、透過光強度が異なる性質を有している。例えば、本実施形態の液晶分子ＬＣは、図７に示すように、正負の駆動電圧において非対称となるＶ字型スイッチング特性を有している。
【００５２】
例えば、図６に例示する場合では、電圧無印加時の安定位置がラビング方向からずれており、電圧印加したときに液晶が動作するコーンの両端はラビング方向に対してほぼ対称であって、プラスの電圧が印加された場合には、液晶分子ＬＣは、第１偏光軸５２を基準に、基準軸５１の方向（以下、「第１方向」という。）へ傾斜し、マイナスの電圧が印加された場合には、液晶分子ＬＣは、第１偏光軸５２を基準に、当該基準軸５１から離れる方向（以下、「第２方向」という。）へ傾斜することになり、第１方向への動作可能なチルト角（すなわち、最大傾斜角度）は大きくなるとともに、第２方向へのチルト角（すなわち、最大傾斜角度）は小さくなる。本実施形態の液晶分子ＬＣは、このような特性を有している。
【００５３】
なお、図６には、駆動電圧の無印加時において基準軸５１の左側に傾いた状態で安定している液晶分子ＬＣを例示しているが、強誘電性液晶材料及び配向膜（３３、４３）によっては、液晶分子ＬＣは、基準軸５１の右側に傾いた状態で安定する場合もある。この場合であっても、基準軸５１の方向への傾斜においては、液晶分子ＬＣのチルト角が大きくなる第１方向となり、当該基準軸５１から離れる方向への傾斜においては、液晶分子ＬＣのチルト角が小さくなる第２方向と規定される。
【００５４】
また、本実施形態の液晶素子３０は、上述のような特性を有しているため、液晶層３５に封入された液晶分子ＬＣの安定状態に基づいて、第１偏光軸５２及び第２偏光軸５３を定めつつ、第１偏光板３２及び第２偏光板４２を形成するようになっている。
【００５５】
コンデンサＣは、ＴＦＴ２０のソースのドレイン電極と図示しない共通電極９０（Ｖｃｏｍ）間に形成されている。そして、このコンデンサＣ及び液晶素子３０は、ＴＦＴ２０がオンのときにピクセルデータに応じた電荷量を保持する。
【００５６】
ＴＦＴ２０は、液晶素子３０に駆動電圧を印加する際のオンとオフを制御するスイッチング素子として機能する。特に、ＴＦＴ２０は、走査線Ｙから供給される走査線制御信号に基づいて、データ線Ｘから供給されるピクセルデータをコンデンサＣ及び液晶素子３０に供給するためのスイッチに用いられる。そして、ＴＦＴ２０は、所定の値に対応した電圧によって示される液晶素子３０に印加するためのデータをコンデンサＣ及び液晶素子３０に書き込む。
【００５７】
また、ＴＦＴ２０のゲート電極には、走査線Ｙが接続されるとともに、そのソース電極には、データ線Ｘが接続される。また、ＴＦＴ２０のドレイン電極には液晶素子３０とコンデンサＣの一端が接続されている。
【００５８】
しがって、このような構成を有することにより、ＴＦＴ２０のゲート電極に走査線制御信号が印加されていない場合には、ＴＦＴ２０は、オフ状態になっており、たとえ、データ線Ｘを介して当該ＴＦＴ２０のソース電極にピクセルデータが印加されたとしても当該ＴＦＴ２０のドレイン電極に接続された液晶素子３０にピクセルデータを印加することはない。その一方、ＴＦＴ２０のゲート電極に走査線制御信号が印加された場合には、ＴＦＴ２０は、オン状態になり、当該ＴＦＴ２０のソース電極に印加されたピクセルデータを液晶素子３０に印加することなる。
【００５９】
［２．２］液晶表示装置の駆動原理
次に、図８〜図１８の各図を用いて本実施形態の強誘電性の液晶素子３０を有する液晶表示装置１００の駆動原理について説明する。
【００６０】
なお、図８は、正負の駆動電圧において非対称となるＶ字型スイッチング特性を有し、かつ、自発分極を有する液晶分子ＬＣにおいて、チルト角と自発分極の関係について説明するための図であり、図９〜図１１の各図は、本実施形態における液晶分子ＬＣの実駆動電圧及び透過光強度と自発分極との関係を示す一例（表、グラフ及びタイミングチャート）である。
【００６１】
また、図１２及び図１３は、本実施形態における液晶素子３０の正極の場合の駆動電圧条件を示す一例（表及びグラフ）であり、図１４及び図１５は、本実施形態における液晶素子３０の負極の場合の駆動電圧条件を示す一例（表及びグラフ）である。
【００６２】
さらに、図１６及び図１７は、図１２及び図１４における透過光強度「０％」の値を抽出した表（正極と負極）及びグラフであり、図１８は、図１１の動作をさせたときの液晶分子ＬＣを直接的に逆極性によって駆動した場合（以下、「直接逆極性駆動」ともいう。）と本実施形態の駆動方法を比較したグラフである。
【００６３】
本実施形態の液晶表示装置１００の駆動方法は、外部から入力された画像データに基づいて、フレーム毎に、駆動電圧の極性及び電圧レベルに応じて照明装置１４０から照射された光の透過光強度を変化させて表示パネル１１０に画像を表示させるようになっている。すなわち、本実施形態の液晶表示装置１００の駆動方法は、一枚の静止画が次の静止画と切り替わる毎に、駆動電圧をプラスの極性からマイナスの極性に、又は、マイナスの極性からプラスの極性に切り換えるとともに、各極性における電圧レベルに応じて液晶分子ＬＣの傾きを制御し、照明装置１４０から照射された光の透過光強度を変化させて表示パネル１１０に画像を表示させるようになっている。
【００６４】
特に、本実施形態においては、フレーム毎に、
（１）所定期間（以下、「書き込み期間」という。）中に、スイッチング素子として機能する各ＴＦＴ２０のゲート電極を制御し、各ピクセル１０における液晶素子３０（具体的には液晶層３５）に印加するピクセルデータ（すなわち、駆動電圧）を所定のタイミングで書き込む書き込み処理を実行し、
（２）全てのピクセル１０における書き込み処理が終了した後に、照明装置１４０を点灯させつつ、各液晶素子３０に書き込まれた駆動電圧を所定期間（以下、「保持期間」という。）保持させ、
（３）保持期間の終了後に、全てのピクセル１０のＴＦＴ２０のゲート電極を同時にオンにし、液晶分子ＬＣを無印加時の安定状態にリセットするためのリセット電圧を、各液晶素子３０に印加するリセット電圧印加処理を実行するようになっている。
【００６５】
また、本実施形態の書き込み処理においては、フレーム毎に、極性を反転させつつ、ピクセルデータを用いて所定の電圧レベルを各液晶素子３０に印加するフレーム反転駆動によって実行するようになっている。
【００６６】
そして、本実施形態のリセット電圧印加処理は、全てのピクセル３０のＴＦＴ２０を同時にオンにする所定のレベルを有するパルス（以下、「リセットパルス」）ＲＰを各ＴＦＴ２０のゲート電極に印加し、各ピクセル１０にて共通の共通電極９０と同電位となるリセット電圧を各ＴＦＴ２０のソース電極に印加するようになっている。なお、リセット電圧は、各ピクセル１０にて共通の電圧であって、液晶分子ＬＣを無印加時の安定状態にリセットすることができる電圧であればよく、例えば、本実施形態においては、「０Ｖ」のリセット電圧が各ＴＦＴ２０のソース電極に印加されるようになっている。
【００６７】
一般的に、正負の駆動電圧において非対称となるＶ字型スイッチング特性を有し、かつ、自発分極を有する液晶分子ＬＣの可動制御する場合であって、所定の極性の電圧レベルに基づく所定のチルト角（ラビング方向Ｒ及び第１偏光軸５２に対する傾斜角度）から、逆極性の所定の電圧レベルに基づくチルト角まで液晶分子ＬＣを稜線に沿って連続的に可動させる場合には、液晶分子ＬＣを、マイナス極性側（又はプラス極性側）の所定の傾斜角度から０Ｖに可動させるための自発分極と、０Ｖからプラス極性側（又はマイナス極性側）の所定の傾斜角度まで稼働させるための自発分極と、が必要となる。
【００６８】
例えば、（ｎ）番目のフレーム時の電圧レベル（以下、「前電圧レベル」という。）に基づく所定のチルト角から、（ｎ＋１）番目フレームの電圧レベル（以下、「次電圧レベル」）という。）に基づくチルト角まで液晶分子ＬＣを稜線に沿って連続的に可動させる場合には、図８に示すように、まず、（ｎ）フレームにおいて印加された電圧レベルに基づくチルト角から無印加の安定状態（すなわち、電圧レベルが「０Ｖ」であって第１偏光軸５２に平行）にするために所定の自発分極（−ＰＳ：図９に示す例では２．８ｎＣ／ｃｍ２）必要になるとともに、前フレームの極性と逆極性の駆動電圧に基づくチルト角まで移動するために更に所定の自発分極（＋ＰＳ：図９に示す例では６．５ｎＣ／ｃｍ２）が必要となる。
【００６９】
そして、このような場合には、液晶分子がコーン上を動くことで自発分極が反転し、これに伴って液晶素子３０およびコンデンサＣに蓄積された電荷の一部がキャンセルされ、液晶素子３０に電圧降下が発生する。例えば、本実施形態のように、液晶分子ＬＣが、非対称に駆動する非対称の駆動特性（以下、「非対称駆動」ともいう。）を有する場合であって、透過光強度０％、２５％、５０％、７５％及び１００％及び実駆動電圧と自発分極との関係が図９及び図１０に示す関係がある場合を想定する。この場合に、透過光強度が「０％」から正極側に「５０％」にまで変化すると、図９及び図１０に示すように、液晶分子ＬＣの自発分極によって「２．１ｎＣ／ｃｍ２」の電荷がキャンセルされる。
【００７０】
このように、液晶分子ＬＣの可動に伴って発生する自発電極ＰＳに基づく電圧降下よって当該液晶分子ＬＣが属するピクセル１０の保持電荷の一部がキャンセルされるため、すなわち、各ピクセル１０の保持電圧が減少するため、実際に各ピクセル１０に印加される駆動電圧（以下、「実駆動電圧」という。）は、ピクセルデータによって印加される駆動電圧（以下、「入力電圧」という。）よりも小さくなる。
【００７１】
なお、液晶分子ＬＣに発生する自発分極（ＰＳ）の反転に伴う電圧降下は、以下の（式１）によって求めることができる。なお、自発分極（ＱＰＳ）と、印加されている駆動電圧（例えば、前フレームの駆動電圧（Ｖ０））と各液晶分子ＬＣが属するピクセル１０に印加すべき電圧（例えば、次フレームの電圧（Ｖ１））と、保持容量（ＣＬ）との関係は、以下の（式２）によって成立する。また、（ＣＣＳ）は、ピクセル１０の補助容量を示し、（Ｑ０）は、液晶分子ＬＣに駆動電圧（Ｖ０）が印加することで蓄積された電荷量を示す。
【００７２】
【数１】
2014066934.tif 000003
【００７３】
【数２】
2014066934.tif 000004
【００７４】
例えば、図９及び図１０に示す場合であって、実駆動電圧として、−１Ｖ、＋２Ｖ、−２Ｖ、＋２Ｖを順次印加する極性反転駆動を実行する場合には、上述したような電圧降下が生ずるので、液晶分子ＬＣに印加される電圧（以下、「ＬＣ電圧」という。）は、図１１に示すように変化する。具体的には、実駆動電圧「−１Ｖ」を液晶分子ＬＣに印加している状態から、実駆動電圧「＋２Ｖ」によって液晶分子ＬＣを駆動させる場合には、「−１Ｖ」から「０Ｖ」への実駆動電圧の変化によって「０．６ｎＣ／ｃｍ２」の電荷がキャンセルされ、かつ、「０Ｖ」から「＋２．０Ｖ」への実駆動電圧の変化によって「２．１ｎＣ／ｃｍ２」の電荷がキャンセルされ、合計で「２．７ｎＣ／ｃｍ２」の電荷がキャンセルすることになる。したがって、実駆動電圧の変化によって液晶素子３０には「２．７ｎＣ／ｃｍ２」の電荷がキャンセルすることになり、（式１）によって示される電圧降下が発生する。
【００７５】
また、液晶比誘電率を「４．０」、セルギャップを「２．０μｍ」及び補助容量の大きさを液晶素子の全体の補助量の「１／２」とすると、実駆動電圧「−１Ｖ」を液晶分子ＬＣに印加している状態から、実駆動電圧「＋２Ｖ」によって液晶分子ＬＣを駆動させる場合に印加すべき入力電圧は、「＋３．４Ｖ」となる。同様にして、実駆動電圧「＋２Ｖ」を液晶分子ＬＣに印加している状態から、実駆動電圧「−２Ｖ」によって液晶分子ＬＣを駆動させる場合に印加すべき入力電圧は、「−３．７Ｖ」となる。
【００７６】
さらに、このような液晶分子ＬＣの逆極性に駆動させる場合には、入力電圧は、前フレームの実駆動電圧によって変化し、特に前フレームの実駆動電圧が高いほど、高い入力電圧が必要となり、低電圧駆動を行うことが難しい。例えば、図１２〜図１５に示すように、相対的な透過光強度０％、２５％、５０％、７５％及び１００％と実駆動電圧との関係においては、同一の透過強度を得るためであっても、前フレームの透過強度によって必要となる駆動電圧、すなわち、入力電圧が異なっていることがわかる。
【００７７】
例えば、図１２及び図１４に示すように、前フレーム（すなわち、（ｎ−１）番目のフレーム）が負の極性であって、現フレーム（すなわち、（ｎ）番目フレーム）が正の極性の場合に、前フレームの実駆動電圧が「−１．０Ｖ（グラフＡ）」、「−１．３Ｖ（グラフＢ）」、「−２．０Ｖ（グラフＣ）」及び「−３．５（グラフＤ）」については、現フレームにおける実駆動電圧を得るためには、入力電圧を大きくする必要がある。また、図１３及び図１５は、前フレーム（すなわち、（ｎ−１）番目のフレーム）が正の極性であって、現フレーム（すなわち、（ｎ）番目フレーム）が不の極性の場合に、前フレームの実駆動電圧が「−１．０Ｖ（グラフＥ）」、「−１．３Ｖ（グラフＦ）」、「−２．０Ｖ（グラフＧ）」及び「−３．５（グラフＨ）」については、図１２及び図１４と同様に、現フレームにおける実駆動電圧を得るためには、入力電圧を大きくする必要がある。なお、図１３及び図１５に示す各グラフにおいては、図１２及び図１４に示す場合と比べ、当該極性（正の極性）における自発分極が大きいので前フレームの影響が強くなっている。
【００７８】
すなわち、前フレームの実駆動電圧が正の極性であっても負の極性であっても「０Ｖ」を基準に現フレームの入力電圧を印加することができれば、図１２〜図１５に示すように、グラフ的には一番低くなるので、液晶分子ＬＣの駆動電圧を低電圧にすることができることがわかる。なお、図１４及び図１５に示す「参考」とは、前フレームと現フレームにおいて同等の実駆動電圧で駆動させる場合のグラフである。
【００７９】
この結果、極性反転駆動等の逆特性が液晶素子３０に印加される場合では、各ピクセル１０において入力電圧によって得られる透過光強度を得るために、当該電圧降下分を考慮して液晶素子３０に印加すべき駆動電圧の電圧レベルを高くする必要があるとともに、電圧降下を考慮して入力電圧と実駆動電圧の調整をしなければならず、簡易に液晶素子３０を駆動させることが難しい
【００８０】
そこで、本実施形態においては、上述のように、フレーム毎に、各液晶素子３０に書き込まれた駆動電圧を所定期間保持させた後に、リセット電圧印加処理を実行するようになっており、液晶分子ＬＣに、逆極性の駆動電圧が印加される場合には、無印加時の安定状態を経由させて当該液晶分子ＬＣの向き（具体的には、光の透過軸（偏光軸５２）に対する傾斜角度）を制御することができるようなっている。
【００８１】
すなわち、常に、前フレームの電圧レベルが「０Ｖ」で透過光強度が「０％」の状態から液晶分子ＬＣを該当するチルト角まで移動させるための駆動電圧を印加すればよいので（図１２〜図１５に示すように「０Ｖ」から駆動電圧を印加すればよいので）、液晶分子ＬＣが駆動することによってキャンセルする電荷量を抑制することができるとともに、入力電圧を低く設定することができるようになっている。
【００８２】
したがって、本実施形態においては、実駆動電圧と入力電圧の差を小さくすべく、入力電圧の電圧レベル低くすること、駆動電圧の効率化を図ること、及び、ピクセル１０の保持電圧を高く維持させて光の透過率を向上させることができるので、高輝度化及び高コントラスト化を実現させることができるようになっている。
【００８３】
上記に加えて、フレーム毎に極性を反転する極性反転駆動を繰り返して同一の階調値を維持する場合には、液晶素子３０には、前フレームの該当する電圧レベルから、現フレームの極性の異なる絶対値が同一の電圧レベルが、印加されることになる。
【００８４】
例えば、上述の極性反転駆動（すなわち、直接逆極性駆動）の場合には、透過光強度が±２５％間、±５０％間、±７５％間及び±１００％間において繰り返して該当する駆動電圧が印加されるので、入力電圧の振幅値は、図１６（Ａ）及び図１７に示すように、入力電圧最大で「１４Ｖ」となる。しかしながら、本実施形態においては、前フレームの電圧レベルが「０Ｖ」で透過光強度が「０％」の状態から液晶分子ＬＣを該当するチルト角まで可動させるための駆動電圧を印加すればよいので、図１６（Ｂ）及び図１７に示すように、入力電圧の振幅値は、最大で「１０．５Ｖ」となる。
【００８５】
したがって、本実施形態のおいては、液晶素子３０に印加する駆動電圧の効率化を図ることができるとともに、使用時に入力電圧の調整等の煩雑な作業を強いることがないので、正負の駆動電圧において非対称となるＶ字型スイッチング特性を有し、かつ、自発分極を有する液晶分子ＬＣの電圧制御を簡単に実行することができるようになっている。
【００８６】
なお、実駆動電圧と入力電圧の差が生じていた場合であっても、同一の入力電圧を継続して印加していくと２フレーム程度で目標の電圧（ターゲットとすべき実駆動電圧）に近づくことが知られており、本実施形態の駆動方法であってもその効果を有している。例えば、図１８に示すように、図９及び図１０に示す場合であって、実駆動電圧として、−１Ｖ、＋２Ｖ、−２Ｖ、＋２Ｖを順次印加する極性反転駆動を実行する場合には、２フレーム程度で目標の電圧に近づいていることがわかる。特に、本実施形態の駆動方法は、図１８に示すように、直接的に逆極性によって駆動する場合（すなわち、直接逆極性駆動）に比べて、低電圧で駆動可能となっていることがわかる。
【００８７】
［２．３］液晶表示装置の動作
次に、図１９を用いて本実施形態の液晶表示装置１００の動作について説明する。なお、図１９は、本実施形態における液晶表示装置１００の各部の数フレーム分のタイミングを示すタイミングチャートである。
【００８８】
本動作においては、入力された画像データに基づいてマトリクスデータが生成されているとともに、同期信号によって走査線制御信号及びピクセルデータが所定のタイミングによって表示パネル１１０に供給されているものとする。
【００８９】
まず、各フレームの書き込み期間においては、表示パネル１１０の左上のピクセル１０から順に、所定のタイミングによって該当するＴＦＴ２０のゲート電極のオン及びオフを制御し、該当するピクセル１０において、ソース電極から供給された各液晶素子３０に印加するピクセルデータを着込む書き込み処理を実行する。このとき、各ピクセル１０は、書き込まれたピクセルデータに基づいて、各液晶素子３０の駆動が開始されるとともに保持容量Ｃ及び液晶素子３０に電荷をチャージする。そして、各液晶素子３０の駆動が開始されると液晶分子が駆動して所定の透過光強度となるチルト角を維持する。
【００９０】
次いで、書き込み期間が終了した後に、すなわち、全てのピクセル３０における書き込み処理が終了した後に、照明装置１４０が点灯し、保持期間が終了するまでその点灯を継続する。また、各ピクセル３０は、保持された電圧に基づいて、後述する保持期間の終了時点までそのチルト角を維持する。
【００９１】
次いで、保持期間の終了後に、全てのピクセル３０のＴＦＴ２０を同時にオンにするリセットパルスＲＰを各ＴＦＴ２０のゲート電極に印加し、液晶分子ＬＣを無印加時の安定状態にリセットするためのリセット電圧（「０Ｖ」となる共通電極９０）を、各ＴＦＴ２０のソース電極から供給し、各液晶素子３０に印加するリセット電圧印加処理を実行する。このとき、各ピクセル２０の液晶素子３０における液晶分子ＬＣは、駆動電圧の無印加時の安定状態にセットされる。
【００９２】
次いで、次のフレームの書き込み期間においては、表示パネル１１０の左上のピクセル１０から順に、所定のタイミングによって該当するＴＦＴ２０をオン及びオフの制御をし、ソース電極から供給された各液晶素子３０に印加する逆極性のピクセルデータを着込む書き込み処理を実行する。このとき、各ピクセル１０は、書き込まれた逆極性のピクセルデータに基づいて、各液晶素子３０の駆動が開始されるとともに保持容量Ｃ及び液晶素子３０に電荷をチャージする。そして、各液晶素子３０の駆動が開始されると液晶分子ＬＣが駆動して所定の透過光強度となるチルト角を維持する。
【００９３】
なお、以降の処理は、前フレームと同様となる。そして、これ以降は、マトリクスデータに基づく走査線制御信号及びピクセルデータによって各ピクセルによる極性反転駆動を実行する。
【００９４】
以上、本実施形態の表示パネル１１０の駆動方法及び液晶表示装置１００は、フレーム毎に、照明装置１４０光源を点灯させつつ、各液晶素子３０に書き込まれたピクセルデータを所定期間保持させた後に、光源を消灯すると同時に全てのピクセル１０のＴＦＴ２０を同時にオンにして、液晶分子ＬＣを無印加時の安定状態にリセットするためのリセット電圧を各液晶素子３０に印加するリセット電圧印加処理を実行するので、液晶分子ＬＣに、次のフレームにおいて逆極性の駆動電圧が印加しても、無印加時の安定状態を経由させて該当するチルト角傾斜角度を設定することができる。
【００９５】
したがって、本実施形態の表示パネル１１０の駆動方法及び液晶表示装置１００は、ピクセル２０に印加する駆動電圧の電圧レベルを低くすることができ、駆動電圧の効率化を図ることができるとともに、液晶素子３０の保持電圧を高く維持させて光の透過光強度を向上させることができるので、高輝度化及び高コントラスト化を実現させることができる。
【００９６】
［３］変形例
［３．１］変形例１
上記実施形態においては、データ線駆動回路１２０は、極性反転駆動用のピクセルデータを生成するようになっているが、極性反転駆動せずに液晶素子３０を駆動してもよい。
【符号の説明】
【００９７】
Ｃ  …  コンデンサ
Ｒ  …  ラビング方向
ＬＣ  …  液晶分子
１０  …  ピクセル
２０  …  ＴＦＴ
３０  …  液晶素子
３１  …  第１基材
３２  …  第１偏光板
３３、４３  …  配向膜
３５  …  液晶層
４１  …  第２基材
４２  …  第２偏光板
５１  …  基準軸
５２  …  第１偏光軸
５３  …  第２偏光軸
１００  …  液晶表示装置
１１０  …  表示パネル
１２０  …  データ線駆動回路
１３０  …  走査線駆動回路
１４０  …  照明装置
１５０  …  メモリ回路
１７０  …  制御回路
【図１】
2014066934.tif 000005
【図２】
2014066934.tif 000006
【図３】
2014066934.tif 000007
【図４】
2014066934.tif 000008
【図５】
2014066934.tif 000009
【図６】
2014066934.tif 000010
【図７】
2014066934.tif 000011
【図８】
2014066934.tif 000012
【図９】
2014066934.tif 000013
【図１０】
2014066934.tif 000014
【図１１】
2014066934.tif 000015
【図１２】
2014066934.tif 000016
【図１３】
2014066934.tif 000017
【図１４】
2014066934.tif 000018
【図１５】
2014066934.tif 000019
【図１６】
2014066934.tif 000020
【図１７】
2014066934.tif 000021
【図１８】
2014066934.tif 000022
【図１９】
2014066934.tif 000023